【手続補正書】
【提出日】平成28年11月8日(2016.11.8)
【手続補正１】
【補正対象書類名】特許請求の範囲
【補正対象項目名】全文
【補正方法】変更
【補正の内容】
【特許請求の範囲】
【請求項１】
１つ以上の感熱部材を有し、宇宙船又は航空機にジンバルによってマウントされ、少なくとも１つのヒートストラップにより前記１つ以上の感熱部材に熱的に結合されるヒートシンク部材を含む光センサであって、前記ヒートシンク部材は、モータによる熱エネルギー伝達装置を利用することなく、前記少なくとも１つのヒートストラップを通じて、前記１つ以上の感熱部材からの熱エネルギーを受動的に受けて貯蔵するように構成される、光センサ；
周辺環境へ熱エネルギーを放散するように構成され、前記光センサの光路の第１の側に配置されるラジエータであって、前記第１の側に対向する前記光路の第２の側では、前記ヒートシンク部材が前記ジンバルに関して前記光センサの重心の均衡を少なくとも部分的に保つように、前記ヒートシンク部材が配置される、ラジエータ；
前記ヒートシンク部材は、前記ラジエータと前記１つ以上の感熱部材との間で熱的に結合され、かつ、
前記ラジエータは、前記ヒートシンク部材から熱エネルギーを受けるように構成される、装置。
【請求項２】
前記ヒートシンク部材と前記ラジエータとの間で熱的に結合される一方向伝熱装置をさらに有する請求項１に記載の装置であって、
前記一方向伝熱装置は、
前記ヒートシンク部材から前記ラジエータへの第１方向での熱エネルギーの移動を可能にし、かつ、
前記ラジエータから前記ヒートシンク部材への第２方向での熱エネルギーの移動を制限するように構成される、装置。
【請求項３】
前記一方向伝熱装置が、液体の形態で多相冷却剤を動かすように構成される芯を有するヒートパイプ又は熱スイッチのうちの少なくとも何れかを含む、請求項２に記載の装置。
【請求項４】
前記ラジエータが低温ラジエータを含む、請求項１に記載の装置。
【請求項５】
前記光センサが赤外装置を含む、請求項１に記載の装置。
【請求項６】
前記ラジエータが熱エネルギーを放射するように構成される前面を有し、前記装置は：
前記ヒートシンク部材を冷却するため、前記ラジエータの前面が１つ以上の暖かい物体から離れるように、前記光センサを向けること；及び
関心物体に関する情報を取得するため、前記光センサが前記関心物体の方を向くように、前記光センサを向けることであって、前記ヒートシンク部材は、前記光センサが前記関心物体に向けられたまま前記１つ以上の感熱部材を冷却するように構成される、こと；
を行うように構成される、請求項１に記載の装置。
【請求項７】
コンピュータ可読プログラムコードを有するコンピュータプログラムを組み込むコンピュータ可読媒体であって、前記コンピュータ可読プログラムコードは：
光センサのヒートシンク部材から熱エネルギーを放散するために、１つ以上の暖かい物体から離れるように、ラジエータの前面を向けることであって、前記ヒートシンク部材は、少なくとも１つのヒートストラップにより前記光センサの１つ以上の感熱部材に熱的に結合され、前記光センサは宇宙船又は航空機にジンバルによってマウントされており、前記ラジエータは、前記光センサの光路の第１の側に配置され、前記第１の側に対向する前記光路の第２の側では、前記ヒートシンク部材が前記ジンバルに関して前記光センサの重心の均衡を少なくとも部分的に保つように、前記ヒートシンク部材が配置される、こと；及び、
関心物体に関する情報を取得するため、前記光センサを前記関心物体へ向けることであって、前記ヒートシンク部材は、前記光センサが前記関心物体へ向けられたまま、モータによる熱エネルギー伝達装置を利用することなく、前記少なくとも１つのヒートストラップを通じて、前記１つ以上の感熱部材から熱エネルギーを受動的に受けるように構成されること；
を行うように構成される、コンピュータ可読媒体。
【請求項８】
前記光センサが、前記ヒートシンク部材と前記ラジエータとの間で熱的に結合される一方向伝熱装置を有する、請求項７に記載のコンピュータ可読媒体。
【請求項９】
前記一方向伝熱装置が、液体の形態で多相冷却剤を動かすように構成される芯を有するヒートパイプ又は熱スイッチのうちの少なくとも何れかを含む、請求項８に記載のコンピュータ可読媒体。
【請求項１０】
前記ラジエータが低温ラジエータを含む、請求項７に記載のコンピュータ可読媒体。
【請求項１１】
前記光センサが赤外装置を含む、請求項７に記載のコンピュータ可読媒体。
【請求項１２】
前記ヒートシンク部材が、相変化材料を含む、請求項７に記載のコンピュータ可読媒体。
【請求項１３】
宇宙船又は航空機にジンバルによってマウントされるように構成され、ヒートシンク部材を有する光センサであって、前記ヒートシンク部材は、モータによる熱エネルギー伝達装置を利用することなく、少なくとも１つのヒートストラップを通じて、１つ以上の感熱部材からの熱エネルギーを受動的に受けて貯蔵するように構成され、前記少なくとも１つのヒートストラップは、前記１つ以上の感熱部材に前記ヒートシンク部材を熱的に結合する、光センサ；
周辺環境へ熱エネルギーを放散するように構成され、前記光センサの光路の第１の側に配置されるラジエータであって、前記第１の側に対向する前記光路の第２の側では、前記ヒートシンク部材が前記ジンバルに関して前記光センサの重心の均衡を少なくとも部分的に保つように、前記ヒートシンク部材が配置される、ラジエータ；及び
制御装置、を有する温度管理システムであって、
前記制御装置は：  
前記ヒートシンク部材を冷却するため、１つ以上の暖かい物体から離れるように、前記ラジエータの前面を向けることであって、前記ラジエータは熱エネルギーを放散するように構成されている、こと；及び、
関心物体に関する情報を取得するために前記光センサを前記関心物体へ向けることであって、前記ヒートシンク部材は、前記光センサが前記関心物体へ向けられたまま前記１つ以上の感熱部材を冷却するように構成される、こと；
行うように構成される、温度管理システム。
【請求項１４】
前記ヒートシンク部材が、相変化材料を含む、請求項１３に記載の温度管理システム。
【請求項１５】
前記ヒートシンク部材と前記ラジエータとの間で熱的に結合される一方向伝熱装置をさらに有する請求項１３に記載の温度管理システムであって、
前記一方向伝熱装置は、
前記ヒートシンク部材から前記ラジエータへの第１方向での熱エネルギーの移動を可能にし、かつ、
前記ラジエータから前記ヒートシンク部材への第２方向での熱エネルギーの移動を制限するように構成される、温度管理システム。
【請求項１６】
前記一方向伝熱装置が、液体の形態で多相冷却剤を動かすように構成される芯を有するヒートパイプ又は熱スイッチのうちの少なくとも何れかを含む、請求項１５に記載の温度管理システム。
【請求項１７】
前記ラジエータが低温ラジエータを含む、請求項１３に記載の温度管理システム。
【請求項１８】
前記光センサが赤外装置を含む、請求項１３に記載の温度管理システム。
【請求項１９】
前記ヒートシンク部材は、１つ以上の感熱部材から熱エネルギーを受動的に受けるために電力源を使用しない、請求項１に記載の装置。
【請求項２０】
前記ヒートシンク部材は、１つ以上の感熱部材から熱エネルギーを受動的に受けるために電力源を使用しない、請求項１３に記載の温度管理システム。
【手続補正２】
【補正対象書類名】明細書
【補正対象項目名】発明の名称
【補正方法】変更
【補正の内容】
【発明の名称】温度管理システム、装置及びコンピュータ可読媒体